(57)【要約】【課題】カードが不用意に飛び出すことを防止するカード用コネクタを提供する。【解決手段】カードが挿入されるハウジング１と、カードに係止して進退するスライダ５と、スライダ５に軸部７０ａが回転可能に保持される回転カム部材７と、回転カム部材７を付勢する圧縮コイルばね８と、を備える。スライダ５は、回転カム部材７の端部に設けた第１山形歯７３と噛み合う第２山形歯５５を有する。回転カム部材７は、幅の広い第１突条７１と幅の狭い第２突条７２を軸部７０ａの外周に交互に設ける。カードを挿入すると、回転カム部材７が所定角度回動して、第１突条７１が受入開口１８の始端に対向する。カードを再度押すと、回転カム部材７が所定角度回動して、第２突条７２が受入開口１８の始端に対向するので、カードを排出できる。受入開口１８には、第２突条７２が当接する第３傾斜面１８ａを設けており、回転カム部材７の初速度を緩和できる。【選択図】図４
2011049078.tif 000002
【特許請求の範囲】
【請求項１】
カードが挿入される凹部を設ける平板状のハウジングと、
このハウジングの凹部を覆う平坦面を設けるカバーと、
前記ハウジングの凹部の片翼に配置して、前記カードの挿入方向と略平行に進退運動のみが許容される帯板状のスライダと、
このスライダに保持されて軸方向に僅かに移動すると共に回転可能な回転カム部材と、
この回転カム部材を前記カードが排出する方向に力を付勢する付勢手段と、を備え、
前記ハウジングは、前記スライダの長手方向に沿って対向配置する第１突起及び第２突起を案内する第１直線溝及び第２直線溝を有し、
前記スライダは、当該スライダの長手方向と略直交する方向に突出して前記カードの端縁が当接可能な鉤片を有し、
前記回転カム部材は、
円柱状の軸部の外周に放射状に突出する複数の突条であって、幅の広い第１突条と幅の狭い第２突条を交互に設ける複数の突条と、
前記軸部の一方の端部に設けて軸方向に突出する複数のラチェット状の第１山形歯と、
前記軸部の他方の端部に設けて前記付勢手段の他方の端部が当接する端面と、を有し、
前記ハウジングは、
前記軸部の外周を受ける劣弧溝と、
前記第１突起を案内する前記第１直線溝に連通して前記第２突条の一つのみが通過可能な通過溝と、
この通過溝の始端の両翼に形成された一対の第１傾斜面であって、前記回転カム部材の進退方向と所定の角度で同じ方向に交差する一対の第１傾斜面と、を設け、
前記スライダは、
外周方向に開口して前記軸部の外周を保持する軸受部と、
前記第１山形歯と噛み合って当該回転カム部材を間欠的に一方の方向に回転させる複数のラチェット状の第２山形歯と、を設け、
前記第１突条及び前記第２突条は、一対の前記第１傾斜面に当接して当該回転カム部材を間欠的に一方の方向に回転させる第２傾斜面を前記第１山形歯が突出する方向に設け、
前記通過溝は、前記第１突条の進入を阻止し、かつ前記第２突条の幅より広い幅を設けて前記第２突条の進入を容易にする受入開口を始端側に有し、
前記受入開口は、前記第２突条の先端部が当接して、当該第２突条を一方の内壁から他方の内壁に移動させつつ、前記通過溝の終端に向かって進行させる第３傾斜面を当該一方の内壁に設けているカード用コネクタ。
【発明の詳細な説明】
【技術分野】
【０００１】
本発明は、カード用コネクタに関する。特に、カードの排出を容易にするイジェクト機構付きのカード用コネクタに関する。
【背景技術】
【０００２】
いわゆる、プッシュ・プッシュ型と呼ばれるイジェクト機構付きカード用コネクタは、カードをコネクタに挿入（プッシュ）するとロックされる。又、カードを押すと、ロックが解除されてカードがコネクタから排出される。プッシュ・プッシュ型のカード用コネクタは、カードを押圧操作することにより、内部に備わるイジェクト機構がカードの排出を容易にしている。
【０００３】
上述したプッシュ・プッシュ型のイジェクト機構としては、ハート状のカム溝を形成するスライダ、及びハート状のカム溝に案内される案内棒を備えるイジェクト機構が知られている（例えば、特許文献１参照）。
【０００４】
上述したイジェクト機構を備えるコネクタは、カードの押圧操作により案内棒の一端がハート状のカム溝を移動し、カードの係止位置と排出位置を規定している。しかし、特許文献１によるコネクタは、幅広のスライダをハウジングの内部に備えるので、コネクタの外形を大きくするという不具合があった。
【０００５】
上述した不具合を解消するため、カードの係止及び排出機構を小型にすることにより、小型のカード用コネクタが開示されている（例えば、特許文献２参照）。
【先行技術文献】
【特許文献】
【０００６】
【特許文献１】特開２００５−０７１６６７号公報
【特許文献２】特開２０００−１９５５８７号公報
【発明の概要】
【発明が解決しようとする課題】
【０００７】
図１６は、特許文献２によるカード用コネクタに備わるハウジングの部分拡大斜視図である。本願の図１６は、特許文献２の図１０に相当している。図１７は、特許文献２によるカード用コネクタに備わるトレイの平面図である。本願の図１７は、特許文献２の図４に相当している。
【０００８】
図１８は、特許文献２によるカード用コネクタに備わる回転カム部材の図であり、図１８（Ａ）は、回転カム部材の右側面図、図１８（Ｂ）は、回転カム部材の正面図、図１８（Ｃ）は、回転カム部材の左側面図である。本願の図１８は、特許文献２の図１３に相当している。
【０００９】
図１６から図１８を参照すると、特許文献２によるカード用コネクタは、板状のハウジング９１とトレイ９２を備えている。ハウジング９１は、複数のコンタクト（図示せず）を凹部９１０に配置している。トレイ９２は、凹部９１０に対して摺動可能とされ、カード（図示せず）を受容可能となっている。
【００１０】
図１６から図１８において、トレイ９２は、前位置でカードを受容して後方へと移動されるとき、後位置に維持されるようにハウジング９１に係合されている。そして、トレイ９２が再度後側に押圧されると、係合が解除されて再度前位置へと復帰するよう構成されている。
【００１１】
図１７を参照すると、トレイ９２は、本体の一側から突出する突部９２０、及び突部９２０から後方へと延びる柱部９２１を有している。柱部９２１の後端には、ラチェット状の複数の歯９２３を放射状に形成している。
【００１２】
一方、図１６を参照すると、ハウジング９１は、トレイ９２の摺動方向ｘ（図１７参照）に延びて、連通しそれぞれ前後に位置する第１キャビティ９１１及び第２キャビティ９１２を有している。
【００１３】
又、図１６及び図１８を参照すると、特許文献２によるカード用コネクタは、第２キャビティ９１２の内部で摺動及び回動が可能な回転カム部材９３を備えている。回転カム部材９３は、圧縮コイルばね（図示せず）で力を付勢されて前方に移動できる。又、第１キャビティ９１１内では、回転カム部材９３は、回転が制約されて、進退運動のみが許容される。
【００１４】
図１７及び図１８を参照すると、回転カム部材９３は、柱部９２１の歯９２３と噛み合うラチェット状の複数の歯９３１を一方の端部に有している。又、回転カム部材９３の本体９３０の外周には、等間隔に本体９３０の長手方向に延びる突条９３２を三つ突設している。
【００１５】
図１６及び図１８を参照すると、三つの突条９３２の外面は、円弧状に形成されており、第２キャビティ９１２の内部を回転できる。一方、第１キャビティ９１１は、断面が略円形であり、３方向に等間隔で放射状に溝を形成している。これらの溝は、第１キャビティ９１１の長手方向に沿って延び、その内の一つは底面が開口した溝９１１ｃとなり、他の２つは底面が閉塞した溝９１１ａ・９１１ｂとなっている。突条９３２は、これらの溝９１１ａ・９１１ｂ・９１１ｃに案内されて、移動できる。
【００１６】
特許文献２によるカード用コネクタは、上記のとおり構成しているので、カードの押圧によりトレイ９２を後方に移動すると、柱部９２１に押圧されて、回転カム部材９３が移動する。
【００１７】
そして、回転カム部材９３が第１キャビティ９１１から第２キャビティ９１２へと移動すると、回転カム部材９３が一方の方向に回転して、突条９３２の端面が第１キャビティ９１１と第２キャビティ９１２の境界の壁９１４に係止されて、トレイ９２が逆行困難な停止位置となる。
【００１８】
トレイ９２が再度後方に押されると、回転カム部材９３が一方の方向に回転して、突条９３２が溝９１１ａ・９１１ｂ・９１１ｃに係合してトレイ９２を押し出し、カードを排出できる。
【００１９】
しかし、特許文献２によるカード用コネクタは、カードを排出するに当たり、回転カム部材９３を介して、圧縮コイルばねがトレイ９２を勢いよく付勢しているので、トレイ９２が停止したときに、カードが慣性力でトレイ９２から飛び出してしまうという問題がある。
【００２０】
圧縮コイルばねの「ばね定数」を小さく（弱く）することにより、カードが飛び出すことを防止できるが、カードが複数のコンタクトから容易に離間しないという別の問題が発生する。
【００２１】
又、両者のバランスをとって、圧縮コイルばねの「ばね定数」を決定することは、色々な要因が絡んでくるので、現実として困難である。カード用コネクタの構造を工夫して、カードが不用意に飛び出すことを防止することが好ましい。そして、以上のことが本発明の課題といってよい。
【００２２】
本発明は、このような課題に鑑みてなされたものであり、カードが不用意に飛び出すことを防止するカード用コネクタを提供することを目的とする。
【課題を解決するための手段】
【００２３】
本発明者らは、回転カム部材の初速度を緩和するブレーキ手段をハウジングに設けることにより、この課題が解決可能なことを見出し、これに基づいて、以下のような新たなカード用コネクタを発明するに至った。
【００２４】
カードが挿入される凹部を設ける平板状のハウジングと、このハウジングの凹部を覆う平坦面を設けるカバーと、前記ハウジングの凹部の片翼に配置して、前記カードの挿入方向と略平行に進退運動のみが許容される帯板状のスライダと、このスライダに保持されて軸方向に僅かに移動すると共に回転可能な回転カム部材と、この回転カム部材を前記カードが排出する方向に力を付勢する付勢手段と、を備え、前記ハウジングは、前記スライダの長手方向に沿って対向配置する第１突起及び第２突起を案内する第１直線溝及び第２直線溝を有し、前記スライダは、当該スライダの長手方向と略直交する方向に突出して前記カードの端縁が当接可能な鉤片を有し、前記回転カム部材は、円柱状の軸部の外周に放射状に突出する複数の突条であって、幅の広い第１突条と幅の狭い第２突条を交互に設ける複数の突条と、前記軸部の一方の端部に設けて軸方向に突出する複数のラチェット状の第１山形歯と、前記軸部の他方の端部に設けて前記付勢手段の他方の端部が当接する端面と、を有し、前記ハウジングは、前記軸部の外周を受ける劣弧溝と、前記第１突起を案内する前記第１直線溝に連通して前記第２突条の一つのみが通過可能な通過溝と、この通過溝の始端の両翼に形成された一対の第１傾斜面であって、前記回転カム部材の進退方向と所定の角度で同じ方向に交差する一対の第１傾斜面と、を設け、前記スライダは、外周方向に開口して前記軸部の外周を保持する軸受部と、前記第１山形歯と噛み合って当該回転カム部材を間欠的に一方の方向に回転させる複数のラチェット状の第２山形歯と、を設け、前記第１突条及び前記第２突条は、一対の前記第１傾斜面に当接して当該回転カム部材を間欠的に一方の方向に回転させる第２傾斜面を前記第１山形歯が突出する方向に設け、前記通過溝は、前記第１突条の進入を阻止し、かつ前記第２突条の幅より広い幅を設けて前記第２突条の進入を容易にする受入開口を始端側に有し、前記受入開口は、前記第２突条の先端部が当接して、当該第２突条を一方の内壁から他方の内壁に移動させつつ、前記通過溝の終端に向かって進行させる第３傾斜面を当該一方の内壁に設けているカード用コネクタ。
【００２５】
本発明によるカード用コネクタは、平板状のハウジング、カバー、及び帯板状のスライダを備えている。ハウジングは、カードが挿入される凹部を設けている。カバーは、ハウジングの凹部を覆う平坦面を設けている。スライダは、ハウジングの凹部の片翼に配置している。又、スライダは、カードの挿入方向と略平行に進退運動のみが許容される。
【００２６】
又、本発明によるカード用コネクタは、回転カム部材と付勢手段を備えている。回転カム部材は、スライダに保持されており、軸方向に僅かに移動すると共に回転可能となっている。付勢手段は、回転カム部材をカードが排出する方向に力を付勢している。
【００２７】
ハウジングは、第１直線溝及び第２直線溝を有している。第１直線溝及び第２直線溝は、スライダの長手方向に沿って対向配置する第１突起及び第２突起を案内する。又、スライダは、鉤片を有している。鉤片は、スライダの長手方向と略直交する方向に突出しており、カードの端縁が当接可能となっている。
【００２８】
回転カム部材は、複数の突条、複数のラチェット状の第１山形歯、及び端面を有している。複数の突条は、円柱状の軸部の外周に放射状に突出している。そして、複数の突条は、幅の広い第１突条と幅の狭い第２突条を交互に設けている。第１山形歯は、軸部の一方の端部に設けており、軸方向に突出している。端面は、軸部の他方の端部に設けており、付勢手段の他方の端部が当接する。
【００２９】
更に、ハウジングは、劣弧溝、通過溝、及び一対の第１傾斜面を設けている。劣弧溝は、軸部の外周を受けている。通過溝は、第１突起を案内する第１直線溝に連通しており、第２突条の一つのみが通過可能となっている。一対の第１傾斜面は、通過溝の始端の両翼に形成されており、回転カム部材の進退方向と所定の角度で同じ方向に交差している。
【００３０】
又、スライダは、軸受部と複数のラチェット状の第２山形歯を設けている。軸受部は、外周方向に開口しており、軸部の外周を保持している。第２山形歯は、第１山形歯と噛み合って、回転カム部材を間欠的に一方の方向に回転させる。
【００３１】
第１突条及び第２突条は、第１山形歯が突出する方向にそれぞれ第２傾斜面を設けている。第２傾斜面は、一対の第１傾斜面に当接して回転カム部材を間欠的に一方の方向に回転させる。
【００３２】
通過溝は、受入開口を始端側に有している。受入開口は、第１突条の進入を阻止し、かつ第２突条の幅より広い幅を設けており、第２突条の進入を容易にする。そして、受入開口は、第３傾斜面を一方の内壁に設けている。第３傾斜面は、第２突条の先端部が当接して、第２突条を一方の内壁から他方の内壁に移動させつつ、通過溝の終端に向かって進行させる。
【００３３】
ここで、ハウジングは、絶縁性を有することが好ましい。そして、絶縁性のハウジングとは、非導電性の材料からなるハウジングのことであってよく、合成樹脂を成形して、所望の形状の絶縁性のハウジングを得ることができる。
【００３４】
例えば、ハウジングは、基端部から先端部に向かって略平行に延びる一対のアームと、これら一対のアーム同士を連結する連結部と、を有してよく、一対のアームには、互いに対向しかつ先端部から基端部に至る溝を設けてよく、これらの溝にカードの両翼が案内されて、カードをハウジングに収容できる。
【００３５】
ハウジングの基端部に圧入又はモールディング（一体成型）により、複数のコンタクトを固定してよく、コンタクトの一端がカードの端子（電気端子）に接触してよく、コンタクトの他端がプリント基板にはんだ接合されることが好ましい。コンタクトの他端は、プリント基板に無はんだ接続されてもよい。
【００３６】
コンタクトは、ピンコンタクトであってよく、ソケットコンタクトであってよく、カンチレバーコンタクトなどのばね性を有する板コンタクトであってもよい。カードに設けられた端子の種別に対応して、適宜なコンタクトが選択される。
【００３７】
カバーは、例えば、金属薄板からなり、展開された金属薄板を成形加工することにより、所望の形状のカバーを得ることができる。カバーは、導電性の金属薄板からなることが好ましく、カバーの平坦面がハウジングを覆うことによりシールド効果が得られる。又、カバーの平坦面がハウジングを覆うことにより、スライダの浮き上がりを防止できる。
【００３８】
カバーは、その両翼が略直角に折り曲げ加工されて、一対の両翼片を形成してよく、これらの両翼片に開口を形成し、ハウジングの両側面に突出する突起に係止できる。又、カバーは、その両翼片にプリント基板にはんだ接合される複数のリード端子を設けてよく、このカード用コネクタをプリント基板に表面実装できる。
【００３９】
軸受部は、軸部の直径より僅かに大きく外周方向に開口することが好ましく、軸部を外周方向から挿入して、軸部を保持できる。劣弧溝は、軸部の直径より小さく開口しており、軸受部に当接することなく、軸部の外周を部分的に支持できる。
【００４０】
スライダと回転カム部材は、間欠運動装置を構成している。軸受部と複数の第２山形歯は、軸中心を共有して対向配置しており、第２山形歯に対して第１山形歯が進退することにより、回転カム部材を間欠的に一方の方向に回転できる。又、スライダと回転カム部材は、回転カム部材が進退しながら回転する、立体カム装置を構成しているということもできる。
【００４１】
カードをカード用コネクタに挿入していない状態では、スライダは、付勢手段（実体として、圧縮コイルばね）に付勢されて、ハウジングの先端部側に移動して停止している（待機している）。
【００４２】
この待機状態では、付勢手段に付勢されて、第１山形歯は、第２山形歯に向かう力を付与されている。又、この待機状態では、第１山形歯が第２山形歯と僅かに噛み合って、回転カム部材は、一方の方向に回転する力を付与されているが、通過溝に第１突条が規制されて、回転カム部材の回転が停止されている。
【００４３】
カードをカード用コネクタに挿入すると、カードの端縁が鉤片に当接して、スライダ及び回転カム部材を基端部側に移動できる。この移動過程では、第１山形歯が第２山形歯と僅かに噛み合って、回転カム部材は、一方の方向に回転する力を付与されているが、通過溝に第２突条が規制されて、回転カム部材の回転が停止されている。
【００４４】
カードを凹部の基端部側に押し切ると、スライダが停止して、回転カム部材の軸方向に移動する運動が第１山形歯と第２山形歯が噛み合う回転運動に変換される。つまり、回転カム部材が間欠的に一方の方向に回動する。
【００４５】
カードを凹部の基端部側に押し切った状態から、カードを解放すると、回転カム部材が付勢手段に付勢されて、初期の状態に移動する。そして、第２傾斜面が第１傾斜面に当接して、回転カム部材が間欠的に更に回動する。
【００４６】
この状態では、幅の広い第１突条が通過溝の始端に対向しているので、回転カム部材の移動は困難である。又、この状態では、幅の広い第１突条が当該第１突条の進入を阻止する受入開口に対向しているということもでき、回転カム部材の移動は困難である。つまり、ハウジングに対してスライダがロックされる。
【００４７】
このロック状態から、カードを略凹部の基端部側に押し切ると、第１山形歯と第２山形歯が噛み合って、回転カム部材が間欠的に一方の方向に回動する。そして、カードを解放すると、第２傾斜面が第１傾斜面に当接して、回転カム部材が間欠的に更に回動する。
【００４８】
この状態では、幅の狭い第２突条が通過溝の始端に対向しているので、回転カム部材を移動できる。又、この状態では、幅の狭い第２突条が当該第２突条の進入を容易にする受入開口に対向しているということもでき、回転カム部材を移動できる。つまり、カードが鉤片に引きずられて、カード用コネクタからカードを排出できる。
【００４９】
このように、本発明によるカード用コネクタは、カードをコネクタに挿入（プッシュ）するとロックされ、カードを押すと、ロックが解除されてカードがコネクタから排出される、プッシュ・プッシュ型のカード用コネクタを実現している。
【００５０】
本発明によるカード用コネクタは、第２突条の先端部が当接して、第２突条を受入開口の一方の内壁から他方の内壁に移動させつつ、通過溝の終端に向かって進行させる第３傾斜面を受入開口の一方の内壁に設けているので、回転カム部材の初速度を緩和することができる。したがって、カードが不用意に飛び出すことを防止できる。
【発明の効果】
【００５１】
本発明によるカード用コネクタは、第２突条の先端部が当接して、第２突条を受入開口の一方の内壁から他方の内壁に移動させつつ、通過溝の終端に向かって進行させる第３傾斜面を受入開口の一方の内壁に設けているので、回転カム部材の初速度を緩和することができる。したがって、カードが不用意に飛び出すことを防止できる。
【図面の簡単な説明】
【００５２】
【図１】本発明の一実施形態によるカード用コネクタの構成を示す斜視図であり、カードが装着された状態図である。
【図２】前記実施形態によるカード用コネクタの斜視分解組立図であり、カバーが分離された状態図である。
【図３】前記実施形態によるカード用コネクタの斜視分解組立図であり、カバーが取りはずされた状態図である。
【図４】前記実施形態によるカード用コネクタの斜視図であり、カードが装着された状態のカード用コネクタを下面側から観ている。
【図５】前記実施形態によるカード用コネクタの斜視分解組立図であり、スライダ、回転カム部材、及び圧縮コイルばねで構成している。
【図６】前記実施形態によるカード用コネクタを下面から観た斜視図であり、回転カム部材がハウジングにロックした状態図である。
【図７】前記実施形態によるカード用コネクタを下面から観た斜視図であり、図６の状態変化図である。
【図８】前記実施形態によるカード用コネクタを下面から観た斜視図であり、ロックが解除された図７の状態変化図である。
【図９】前記実施形態によるカード用コネクタを下面から観た斜視図であり、図８の状態変化図である。
【図１０】前記実施形態によるカード用コネクタを下面から観た斜視図であり、カードを排出可能な図９の状態変化図である。
【図１１】前記実施形態によるカード用コネクタを下面から観た斜視図であり、図１０の状態変化図である。
【図１２】スライダがロックされた状態図であり、図１２（Ａ）は図６の横断面図、図１２（Ｂ）は図１２（Ａ）の平面図である。
【図１３】図１２の状態変化図であり、図１３（Ａ）は図７の横断面図、図１３（Ｂ）は図１３（Ａ）の平面図である。
【図１４】図１３の状態変化図であり、図１４（Ａ）は図９の横断面図、図１４（Ｂ）は図１４（Ａ）の平面図である。
【図１５】前記実施形態によるコネクタにカードを挿入して押しきった状態図であり、図１５（Ａ）は図１４（Ａ）の状態変化図、図１５（Ｂ）は図１５（Ａ）の平面図である。
【図１６】従来技術によるカード用コネクタに備わるハウジングの部分拡大斜視図である。
【図１７】従来技術によるカード用コネクタに備わるトレイの平面図である。
【図１８】従来技術によるカード用コネクタに備わる回転カム部材の図である。
【発明を実施するための形態】
【００５３】
以下、図面を参照して本発明を実施するための最良の形態を説明する。
【００５４】
最初に、本発明の一実施形態によるカード用コネクタの構成を説明する。図１は、本発明の一実施形態によるカード用コネクタ（以下、コネクタと略称する）の構成を示す斜視図であり、カードが装着された状態図である。図２は、前記実施形態によるコネクタの斜視分解組立図であり、カバーが分離された状態図である。
【００５５】
図３は、前記実施形態によるコネクタの斜視分解組立図であり、カバーが取りはずされた状態図である。図４は、前記実施形態によるコネクタの斜視図であり、カードが装着された状態のカード用コネクタを下面側から観ている。図５は、前記実施形態によるカード用コネクタの斜視分解組立図であり、スライダ、回転カム部材、及び圧縮コイルばねで構成している。
【００５６】
図１から図５を参照すると、本発明の一実施形態によるコネクタ１００は、平板状のハウジング１、カバー３、及び帯板状のスライダ５を備えている。ハウジング１は、カード１ｃが挿入される凹部１０を設けている。カバー３は、ハウジング１の凹部１０を覆う平坦面３０を設けている。スライダ５は、ハウジング１の凹部１０の片翼に配置している。又、スライダ５は、カード１ｃの挿入方向と略平行に進退運動のみが許容される。
【００５７】
又、図１から図５を参照すると、コネクタ１００は、回転カム部材７と圧縮コイルばね（付勢手段）８を備えている。回転カム部材７は、スライダ５に保持されており、軸方向に僅かに移動すると共に回転可能となっている。圧縮コイルばね８は、回転カム部材７をカード１ｃが排出する方向に力を付勢している。
【００５８】
図１から図５を参照すると、ハウジング１は、第１直線溝１１及び第２直線溝１２を有している。第１直線溝１１及び第２直線溝１２は、スライダ５の長手方向に沿って対向配置する第１突起５１及び第２突起５２を案内する。
【００５９】
図１から図５を参照すると、スライダ５は、鉤片５３を有している。鉤片５３は、スライダ５の長手方向と略直交する方向に突出しており、カード１ｃの端縁が当接可能となっている。
【００６０】
図３又は図５を参照すると、回転カム部材７は、複数の突条７０、複数のラチェット状の第１山形歯７３、及び端面７４を有している。複数の突条７０は、円柱状の軸部７０ａの外周に放射状に突出している。そして、複数の突条７０は、幅の広い第１突条７１と幅の狭い第２突条７２を交互に設けている。第１山形歯７３は、軸部７０ａの一方の端部に設けており、軸方向に突出している。端面７４は、軸部７０ａの他方の端部に設けており、圧縮コイルばね８の他方の端部が当接する。
【００６１】
更に、図２から図５を参照すると、ハウジング１は、劣弧溝１３、通過溝１４、及び一対の第１傾斜面１５・１５を設けている。劣弧溝１３は、軸部７０ａの外周を受けている。通過溝１４は、第１突起５１を案内する第１直線溝１１に連通しており、第２突条７２の一つのみが通過可能となっている。一対の第１傾斜面１５・１５は、通過溝１４の始端の両翼に形成されており、回転カム部材７の進退方向と所定の角度で同じ方向に交差している。
【００６２】
又、図５を参照すると、スライダ５は、軸受部５４と複数のラチェット状の第２山形歯５５を設けている。軸受部５４は、外周方向に開口しており、軸部７０ａの外周を保持している。第２山形歯５５は、第１山形歯７３と噛み合って、回転カム部材７を間欠的に一方の方向に回転させる。
【００６３】
図４又は図５を参照すると、第１突条７１及び第２突条７２は、第１山形歯７３が突出する方向にそれぞれ第２傾斜面７１２・７２２を設けている（後述する図６又は図８参照）。第２傾斜面７１２・７２２は、一対の第１傾斜面１５・１５に当接して、回転カム部材７を間欠的に一方の方向に回転させる。
【００６４】
図４を参照すると、通過溝１４は、受入開口１８を始端側に有している。受入開口１８は、第１突条７１の進入を阻止し、かつ第２突条７２の幅より広い幅を設けており、第２突条７２の進入を容易にしている。
【００６５】
図４を参照すると、受入開口１８は、第３傾斜面１８ａを一方の内壁に設けている。第３傾斜面１８ａは、第２突条７２の先端部が当接して、第２突条７２を受入開口１８の一方の内壁から他方の内壁に移動させつつ、通過溝１４の終端に向かって進行させることができる。
【００６６】
図２又は図３を参照すると、第１及び第２ハウジングは、基端部から先端部に向かって略平行に延びる一対のアーム１６・１６と、一対のアーム１６・１６同士を連結する連結部１７と、を有している。
【００６７】
又、図２又は図３を参照すると、一対のアーム１６・１６には、互いに対向しかつ先端部から基端部に至る一対の溝１６ａ・１６ａを設けている。一対の溝１６ａ・１６ａにカード１ｃの両翼が案内されて、カード１ｃをハウジング１に収容できる（図１参照）。
【００６８】
図２又は図３を参照すると、ハウジング１の基端部に複数のコンタクト９を固定している。これらのコンタクト９の一端がカードの端子（図示せず）に接触してよく、コンタクト９の他端がプリント基板１ｐにはんだ接合される（図１参照）。
【００６９】
図１又は図２を参照すると、カバー３は、金属薄板からなり、展開された金属薄板が成形加工されている。カバー３は、導電性の金属薄板からなり、カバー３の平坦面３０がハウジング１を覆うことによりシールド効果が得られる。又、カバー３の平坦面３０がハウジング１を覆うことにより、スライダ５の浮き上がりを防止できる。
【００７０】
図１又は図２を参照すると、カバー３は、その両翼が略直角に折り曲げ加工されて、一対の両翼片３１・３１を形成している。そして、一対の両翼片３１・３１に複数の開口３１ａを形成しており、ハウジング１の両側面に突出する突起１７ａに係止できる。又、カバー３は、その両翼片３１・３１にプリント基板１ｐにはんだ接合される複数のリード端子を設けており、コネクタ１００をプリント基板１ｐに表面実装できる。
【００７１】
次に、本発明の実施形態によるコネクタ１００の構成を補足しつつ、その作用及び動作を説明する。
【００７２】
図６は、前記実施形態によるコネクタを下面から観た斜視図であり、回転カム部材がハウジングにロックした状態図である。図７は、前記実施形態によるコネクタを下面から観た斜視図であり、図６の状態変化図である。
【００７３】
図８は、前記実施形態によるコネクタを下面から観た斜視図であり、ロックが解除された図７の状態変化図である。図９は、前記実施形態によるコネクタを下面から観た斜視図であり、図８の状態変化図である。図１０は、前記実施形態によるコネクタを下面から観た斜視図であり、カードを排出可能な図９の状態変化図である。図１１は、前記実施形態によるコネクタを下面から観た斜視図であり、図１０の状態変化図である。
【００７４】
図１２は、スライダがロックされた状態図であり、図１２（Ａ）は図６の横断面図、図１２（Ｂ）は図１２（Ａ）の平面図である。図１３は、図１２の状態変化図であり、図１３（Ａ）は図７の横断面図、図１３（Ｂ）は図１３（Ａ）の平面図である。図１４は、図１３の状態変化図であり、図１４（Ａ）は図９の横断面図、図１４（Ｂ）は図１４（Ａ）の平面図である。
【００７５】
図１５は、前記実施形態によるコネクタにカードを挿入して押しきった状態図であり、図１５（Ａ）は図１４（Ａ）の状態変化図、図１５（Ｂ）は図１５（Ａ）の平面図である。
【００７６】
図３又は図５を参照すると、軸受部５４は、軸部７０ａの直径より僅かに大きく外周方向に開口している。軸部７０ａを外周方向から軸受部５４に挿入して、軸部７０ａを保持できる。劣弧溝１３は、軸部７０ａの直径より小さく開口しており、スライダ５に当接することなく、軸部７０ａの外周を部分的に支持できる。
【００７７】
図２から図５において、スライダ５と回転カム部材７は、間欠運動装置を構成している。軸受部５４と複数の第２山形歯５５は、軸中心を共有して対向配置しており、第２山形歯５５に対して第１山形歯７３が進退することにより、回転カム部材７を間欠的に一方の方向に回転できる。又、スライダ５と回転カム部材７は、回転カム部材７が進退しながら回転する、立体カム装置を構成している。
【００７８】
図５、図６及び図１２を参照すると、圧縮コイルばね８に付勢されて、第１山形歯７３は、第２山形歯５５に向かう力を付与されている。図６に示された状態では、第１山形歯７３が第２山形歯５５と僅かに噛み合っているが、回転カム部材７の回転が停止されている。
【００７９】
図１０を参照すると、圧縮コイルばね８に付勢されて、回転カム部材７は、ハウジング１の先端部側に移動する力を付与されているが、幅の広い第１突条７１が受入開口１８に対向しているので、第１突条７１の進入が阻止される。したがって、回転カム部材７の移動は困難である。つまり、ハウジング１に対してスライダ５がロックされている。
【００８０】
なお、図１２から図１５に示された丸形のマークＭは、回転カム部材７の回転方向及び回転順序を説明の便宜上、表したものであって、丸形のマークＭは実体として設けていない。
【００８１】
図５、図７及び図１３を参照すると、次に、カード１ｃを凹部１０の基端部側に押し切ると、スライダ５が停止して、回転カム部材７の軸方向に移動する運動が第１山形歯７３と第２山形歯５５が噛み合う回転運動に変換される。つまり、回転カム部材７が間欠的に一方の方向に回動する。
【００８２】
図５及び図８を参照すると、次に、カード１ｃを凹部１０の基端部側に押し切った状態からカード１ｃを解放すると、圧縮コイルばね８に付勢されて、回転カム部材７が凹部１０の先端部側に移動する。そして、第２突条７２の第２傾斜面７２２が通過溝１４の第１傾斜面１５に当接して、回転カム部材７が間欠的に更に回動する。なお、図８は、回転カム部材７が間欠的に更に回動する直前の状態図である。
【００８３】
図９及び図１４を参照すると、回転カム部材７が１インデックス分だけ回動すると、幅の狭い第２突条７２が通過溝１４（受入開口１８）の始端に対向しているので、回転カム部材７を移動できる。つまり、カード１ｃが鉤片５３に引きずられて、カード用コネクタ１００からカード１ｃを排出できる。
【００８４】
図９を参照すると、第２突条７２の先端部が第３傾斜面１８ａに当接している。そして、第２突条７２の先端部が第３傾斜面１８ａにスライドして、第２突条７２を受入開口１８の一方の内壁から他方の内壁に移動させつつ、通過溝１４の終端に向かって進行させることができる（図１０参照）。
【００８５】
図９から図１０に至る過程では、第２突条７２の先端部が第３傾斜面１８ａに当接するので、回転カム部材７の初速度を緩和することができる。したがって、カード１ｃが不用意に飛び出すことを防止できる。
【００８６】
又、図１０は、カード１ｃをコネクタ１００に挿入していない状態図であって、スライダ５は、圧縮コイルばね８に付勢されて、ハウジング１の先端部側に移動して待機している。
【００８７】
図１０に示された待機状態では、圧縮コイルばね８に付勢されて、第１山形歯７３は、第２山形歯５５に向かう力を付与されている。又、この待機状態では、第１山形歯７３が第２山形歯５５と僅かに噛み合って、回転カム部材７は、一方の方向に回転する力を付与されているが、通過溝１４に第２突条７２が規制されて、回転カム部材７の回転が停止されている。
【００８８】
図１４を参照すると、カード１ｃを凹部１０の基端部側に押し切ると、スライダ５が停止して、回転カム部材７の軸方向に移動する運動が第１山形歯７３と第２山形歯５５が噛み合う回転運動に変換される。つまり、回転カム部材７が間欠的に一方の方向に回動する。
【００８９】
次に、カード１ｃを凹部１０の基端部側に押し切った状態（図１１参照）から、カード１ｃを解放すると、第１突条７１の第２傾斜面７１２が第１傾斜面１５に当接して、回転カム部材７が間欠的に更に回動して、図６及び図１２に示されたロック状態になる。
【００９０】
このように、本発明の実施形態によるコネクタ１００は、カードをコネクタにプッシュするとロックされ、カードを押すと、ロックが解除されてカードがコネクタから排出される、プッシュ・プッシュ型のカード用コネクタを実現している。
【００９１】
又、本発明の実施形態によるコネクタ１００は、第２突条７２の先端部が当接して、第２突条７２を受入開口１８の一方の内壁から他方の内壁に移動させつつ、通過溝１４の終端に向かって進行させる第３傾斜面１８ａを受入開口１８の一方の内壁に設けているので、第３傾斜面１８ａがブレーキとなって、回転カム部材７の初速度を緩和することができる。したがって、カードが不用意に飛び出すことを防止できる。
【００９２】
更に、本発明の実施形態によるコネクタ１００は、ハウジング１、回転カム部材７、及びスライダ５を積み重ねるように組み立てることができ、組み立てが容易なカード用コネクタを提供できる。
【符号の説明】
【００９３】
１  ハウジング
１ｃ  カード
３  カバー
５  スライダ
７  回転カム部材
８  圧縮コイルばね（付勢手段）
１０  凹部
１１  第１直線溝
１２  第２直線溝
１３  劣弧溝
１４  通過溝
１５  第１傾斜面
１８  受入開口
１８ａ  第３傾斜面
３０  平坦面
５１  第１突起
５２  第２突起
５３  鉤片
５４  軸受部
５５  第２山形歯
７０  突条
７０ａ  軸部
７１  第１突条
７２  第２突条
７３  第１山形歯
７４  端面
１００  コネクタ（カード用コネクタ）
７１２・７２２  第２傾斜面
【図１】
2011049078.tif 000003
【図２】
2011049078.tif 000004
【図３】
2011049078.tif 000005
【図４】
2011049078.tif 000006
【図５】
2011049078.tif 000007
【図６】
2011049078.tif 000008
【図７】
2011049078.tif 000009
【図８】
2011049078.tif 000010
【図９】
2011049078.tif 000011
【図１０】
2011049078.tif 000012
【図１１】
2011049078.tif 000013
【図１２】
2011049078.tif 000014
【図１３】
2011049078.tif 000015
【図１４】
2011049078.tif 000016
【図１５】
2011049078.tif 000017
【図１６】
2011049078.tif 000018
【図１７】
2011049078.tif 000019
【図１８】
2011049078.tif 000020